(57)【要約】      （修正有）【課題】地震、又は地震による液化現象等に対する、該変化について自在に変動、変化を為す事が出来る又は、該地盤の変動の変化を一定安定に保つ、又は該変化に強い工法、の地盤を備え、構成する事が出来る地面、又は地盤を提供する。【解決手段】地面１又は地盤を強化なものにするに対する、その解決手段として土地の表面、地所とする地面１、若しくは地面１の表面、土台、物事の根拠地とする地盤に於いて、該土地の表面、地所とする地面１、若しくは地面１の表面、土台、物事の根拠地とする地盤の下部、下面に、浮き輪又は浮く袋、又は浮く材料、又はその他種々浮く構造を為す、それらの機構、構造を設置して為した構成の地面１、又は地盤とする。【選択図】図１
2019105047.tif 000002
【特許請求の範囲】
【請求項１】
土地の表面、地所とする地面、若しくは地面の表面、土台、物事の根拠地とする地盤に於いて、該土地の表面、地所とする地面、若しくは地面の表面、土台、物事の根拠地とする地盤の下部、下面に、浮き輪又は浮く袋、又は浮く材料、又はその他種々浮く構造、機構、若しくは機能とする、それらを設置して為した構成の地面、又は地盤。
【請求項２】
地面又は地盤は、土地の表面、地所とする地面、若しくは地面の表面、土台、物事の根拠地とする地盤に於いて、該土地の表面、地所とする地面、若しくは地面の表面、土台、物事の根拠地とする地盤の下部、下面に、浮く構造浮き輪又は浮く袋、又は浮く材料、又はその他種々浮く構造、機構、若しくは機能を為す、それらを設置して為す地面又は地盤を浮上させる、又は持ちあげる、又は安定させる事を為し得る構造、機構、又は機能を所持、或いは設定した地面、又は地盤。
【請求項３】
請求項１、２の記載の地面又は地盤に於いて、それらを、多数に連結する、又は一体化を為す、又は該広範囲に設置して該機能或いは作用する事が出来る、該機構、作用、又は構造を構成する地面、又は地盤。
【請求項４】
請求項１，２，３の記載の地面又は地盤に於いて、地面又は地盤の変化或いは変動現象が乗じる時、該変化、変動に応じ、又は沿って、又は随時、又は自在に、該地面又は地盤の変動の変化を、一定化し、又は安定を保ち、又は変化の変革、改変を為し、又は該変化乗じた強い地面又は地盤を備え為す事の該機能、構造、機構又は作用を構成とする地面、又は地盤。
【発明の詳細な説明】
【技術分野】
【０００１】
本発明は、地盤、地面に関するものである。
【背景技術】
【０００２】
地震時に対して土地、建物の震動緩和或いは該対策の各種地震対策を講じておくことも多い。一方、既設の建物については、筋交いを設けておくことも多い。一方、既設の建物については、筋交いを設け、ブレース構造と、為したり、緩衝器を設置するなどの補強が行なわれることがある。又土地、地面に対して強度を増すくい打ち工事、土盛りを行なわれる事が有る
【先行技術文献】
【特許文献】
【０００３】
【特許文献１】特願２００３−３１５０３１公報  特開２００５−８３０３０公報
【発明の概要】
【発明が解決しようとする課題】
【０００４】
しかし、土地地面、地盤に対する地震対策は部分の狭い範囲のみを対象にした工法である、又建物に対する従来の上述したような地震対策の施工措置は、その措置を講じることは容易でないことが多く、また、構造が複雑化することもあり、更に地震対策の施工に躊躇することも多かった。
【０００５】
そこで、本発明は、地面、地盤を強固なものにして、該上に大きな、重い建物を建てたり、該強化土地改良した地盤の上をトラック輸送等大きい、重いものが行き交っても可能な強固な地盤を備ええ、ピクットともしない道路の地盤を備えて該交通機関等を通したりしても、良いとする、強硬対策を為す構造を為す構成の提供を課題とする。
【課題を解決するための手段】
【０００６】
請求項の地面又は地盤は、土地の表面、地所とする地面、若しくは地面の表面、土台、物事の根拠地とする地盤に於いて、該土地の表面、地所とする地面、若しくは地面の表面、土台、物事の根拠地とする地盤の下部、下面に、浮き輪又は浮く袋、又は浮く材料、又はその他種々浮く構造を為す、それらの機構、構造を設置して為した構成の地面、又は地盤。
【０００７】
請求項の地面又は地盤は、土地の表面、地所とする地面、若しくは地面の表面、土台、物事の根拠地とする地盤に於いて、該土地の表面、地所とする地面、若しくは地面の表面、土台、物事の根拠地とする地盤の下部、下面に、浮く構造浮き輪又は浮く袋、又は浮く材料、又はその他種々浮く構造を為す、それらの機構、構造を設置して為す地面又は地盤を該機構、構造、作用により浮上させる、又は持ちあげる、又は安定させる事を為し得る構造の地面、又は地盤。
【０００８】
請求項の地面又は地盤は、前記記載の２件の請求項の地面又は地盤に於いて、それらを多数、連結する、又は一体化を為す、又は広範囲に設置或いは該機能する
事が出来る地面、又は地盤とする地面、又は地盤である。
【０００９】
請求項の地面又は地盤は、前記記載の３件の請求項の地面又は地盤に於いて、地面又は地盤の変化、或いは変動現象が乗じる時、該変化、変動に応じ、又は沿って、又は随時、又は自在に該地面又は地盤の変動の変化を一定化し、或いは安定を保つ、又は変化の変革を為し、又は該変化に強い地盤を備え為す事が出来る事により、該機能、構造、作用の構成とする事が出来る地面、又は地盤。
【発明の効果】
【００１０】
請求項の地面又は地盤は、土地の表面、地所とする地面、若しくは地面の表面、土台、物事の根拠地とする地盤に於いて、該土地の表面、地所とする地面、若しくは地面の表面、土台、物事の根拠地とする地盤の下部、下面に、浮く構造浮き輪又は袋、又は浮く材料、又はその他種々浮く構造を為す、それらの機構、構造を設置して為した構成の地盤、地面の発明は、地震等種々の土地、地価変動が発生した時は、該土地の地面の上が曲がったり、凹凸になったり、変形形状状態のとなり、建物は崩壊又は傾き、道路は段差を生み通行不可能となる可能性が発生し、大変な事態となる。
そこで、この様な事態を防ぐ方法としての当社は上記の発明をいたしました。
例えば地震の際、地面が動き沈下して液化現象を為して地上が水浸しになる場合になる時に於いて、当社発明の該特許を行い使用すれば、該現象を解消出来る。
地盤の下部、下面に、変化をする事が出来る浮く構造浮き輪又は袋、又は浮く材料等と、又その他種々浮く構造を為す構成をする事により浮地面、浮橋地面と成り得て通常の地面を保つ事が出来る。
又上記記載の構成の浮地面、浮橋地面の地盤の下部、下面の浮く構造浮き輪又は袋、又は浮く材料等のその他種々浮く構造を為す構成は、地震の際、地面が動き沈下して液化現象を為す状況に応じて、上記記載の浮く構造を為す構成は、横に広がって、地上を広く支える、によって縦に袋が圧縮する構造となる、又、縦に袋が圧縮されて、袋が縦に長くなる時、地上の上からの荷重を多く受けて地上の支えを大にする変革機能を持つ構造である。よって、種々に現状変化を為し得て浮く構造である。
地盤、地面に対する表面の状況の有様は、その場に応じ平面工作、厚さ工作等を為し平田とする構成は、地盤、地面の計測、図解、現状、場所に応じて、上記記載の方法に於いて、大きくしたり、厚くしたりの等々にて、地盤、地面と種々浮く構造を為す構成がマッチした、該沿った方法を為す構成である。地盤、地面は、浮く構造を為す構成にて浮いている力を持たせたものである。
【００１１】
請求項の地面又は地盤は、土地の表面、地所とする地面、若しくは地面の表面、土台、物事の根拠地とする地盤に於いて、該土地の表面、地所とする地面、若しくは地面の表面、土台、物事の根拠地とする地面、地盤の下部、下面に、浮く構造浮き輪又は袋、又は浮く材料等と、又その他種々浮く構造を為す、それらの機構、構造を設置して為した構成の地面又は地盤の、該土地の表面、地所に対する地面、若しくは地面の表面、土台、物事の根拠地に対する地盤を持ちあげる、又は、地面、地盤を安定させる事を為した地面、地盤。の構成の地盤、地面の発明は、地面、地盤の下部、下面に、浮く構造浮き輪又は袋、又は浮く材料等の、その他種々浮く構造を為す機構、構造を設置した地面、地盤を備えた構成にて、地面、地盤を持ちあげ液状化に対しても、沈まない様にする、又地面、地盤の地上の安定を計った構造とした。該地面、地盤の下部、下面に、浮く構造浮き輪又は袋、又は浮く材料等と、又その他種々浮く構造において、圧力等何らかの変化が乗じた時、該構造が変化、変形形状等を為し該地面、地盤との兼ね合い、バランスを取れる構造と為す機能を持つ。
【００１２】
請求項の地面又は地盤は、土地の表面、地所とする地面、若しくは地面の表面、土台、物事の根拠地とする地盤に於いて、該土地の表面、地所とする地面、若しくは地面の表面、土台、物事の根拠地とする地盤の下部、下面に浮き輪又は袋又は浮く材料又はその他種々浮く構造を為す、それらの機構、構造を設置して為した構成の地盤等の構造を設置、又は該連結して一体を計り該広範囲に該地盤、又は地面を構成する事が出来る地面、又は地盤の発明は、前記記載請求項３件の構造、機能、構成を設定、設置した構成の地面、地盤、を連結、一体化させて、安定した地面又は地盤を広範囲と為しえ、１つのエリアを為す事が出来る該構造、機能、機構又は作用とする地面又は地盤である。
【００１３】
請求項の地面又は地盤は、前記記載の３件の請求項の地面又は地盤に於いて、地面又は地盤の変化、或いは変動現象が乗じる時、該変化、変動に応じ、又は沿って、又は随時、又は自在に該地面又は地盤の変動の変化を一定化し、又該機能、構造、作用の構成が、ダンバーの役目を為す或いは安定を保つ、該発明請求項の重ね構造にして固定機能を大にする又は重ね構造にてクッジョンになり、変化の変革を為し、又は積層構造の機能、材料、構造にて該変化に強い地盤を備え為す事が出来る。事により、該機能、構造、作用の構成とする事が出来る地面、又は地盤。の発明は即ち変動地震に於いても地面、又は地盤に変化がない、変動がない、変革がない、リスクが無い、又は該少ない。
よって、地面、又は地盤が保てる様、安定性が有る、通常の姿である、等等の発明である
【図面の簡単な説明】
【００１４】
【図１】本発明の第一実施形態の構造を示す概略図である。
【図２】本発明の第二実施形態の構造を示す概略図である。
【図３】本発明の第三実施形態の構造を示す概略図である。
【図４】本発明の第一実施形態の構造を示す概略図である。
【図５】本発明の第一実施形態の構造を示す概略図である。
【発明を実施するための形態】
【００１５】
〈第一実施形態〉
以下、本発明の第一実施形態の構造を図１に基づいて説明する。
土地の表面、地所とする地面、若しくは地面の表面、土台、物事の根拠地とする地盤とする所の地上のコンクリート地面（１）となす該下部、下面に、浮き輪又は浮く袋、又は浮く材料、又はその他種々浮く（２）構造、機構、若しくは該機能備え設置して為した構成の地面、又は地盤である。
【００１６】
〈第二実施形態〉
以下、本発明の第二実施形態の構造を図２に基づいて説明する。
土地の表面、地所とする地面、若しくは地面の表面、土台、物事の根拠地とする地盤とする所の地上のコンクリート地面（１）となす該下部、下面に、浮き輪又は浮く袋、又は浮く材料、又はその他種々浮く（２）構造を２連、つないで、連結一体化してより機能を強化し、機構を大にして、大きい地面とする。
【００１７】
〈第三実施形態〉
以下、本発明の第三実施形態の構造を図３に基づいて説明する。
変事の際、土地の表面、地所とする地面、若しくは地面の表面、土台、物事の根拠地とする地盤とする所の地上のコンクリート地面（１）となす該下部、下面に、浮き輪又は浮く袋、又は浮く材料、又はその他種々浮く（２）構造を２連つないで、連結一体化してより機能を強化した機構の浮く（２）構造が変形形状と為す袋に於いて、右側の袋は横に広がっている所又左側の袋は縦に広がっている。該広がり、強度に対する該機能、機構の設定は地形、地盤、土の種類、設定の大小、四方が色々、種々に囲まれた領域によって、設定が異なる故に前者を調査する事が大切である。
【００１８】
〈第四実施形態〉
以下、本発明の第四実施形態の構造を図４に基づいて説明する。
土地の表面、地所とする地面、若しくは地面の表面、土台、物事の根拠地とする地盤とする所の地上のコンクリート地面（１）となす該下部、下面に、浮き輪又は浮く袋、又は浮く材料、又はその他種々浮く（２）構造を多連、つないで、連結一体化してより機能を強化し、機構を大にして、大きい地面とするものを、１つのグループ（５）とし、そのグループ
２つ設定して繋いで強化し、機構を大にして、大きくした地面。
又、該グループを多く造り、それを繋いで、強化し、機構を大にして、大きい地面とする事も出来る。
【００１９】
〈第五実施形態〉
以下、本発明の第五実施形態の構造を図５に基づいて説明する。
海の脇縁側に設けた地所の設定に於いて、要塞の塀を設けて為す地盤について、該地所、地盤は、土地の表面、地所とする地面、若しくは地面の表面、土台、物事の根拠地とする地盤とする所の地上のコンクリート地面（１）となす該下部、下面に、浮き輪又は浮く袋、又は浮く材料、又はその他種々浮く（２）構造、機構、若しくは該機能備え設置して為した
浮機能を２段に設けてクッション性を増し、更にその間に土、泥、砂、石等の、かんしょく、間接材を関与、設定して、より柔軟性を持たせる地層とする。
【符号の説明】
【００２０】
１    地面
２    浮機能機構
３    連結体
４    変形形状
５    グループ
６    土
７    塀
８    海
【図１】
2019105047.tif 000003
【図２】
2019105047.tif 000004
【図３】
2019105047.tif 000005
【図４】
2019105047.tif 000006
【図５】
2019105047.tif 000007
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
地上のコンクリート地面の下面に、浮き輪又は浮く袋又は浮く材料等の浮く機能を有する複数の構造体を２段に設け、複数の当該地上のコンクリート地面同士を連結して一体化させ、安定した１つのエリアと為したコンクリート地面。